【手続補正書】
【提出日】平成25年9月2日(2013.9.2)
【手続補正１】
【補正対象書類名】特許請求の範囲
【補正対象項目名】全文
【補正方法】変更
【補正の内容】
【特許請求の範囲】
【請求項１】
移動局における方法であって、前記方法は、
プライマリキャリアを用いてマルチキャリア無線通信システムにおける通信を確立することと、
前記プライマリキャリアを介して第１の制御シグナリングを受信することであって、前記第１の制御シグナリングは、少なくとも１つのセカンダリキャリアを割り当てる、ことと、
スリープモード動作を実行することであって、前記スリープモードは、スリープウィンドウと、リスニングウィンドウとを有し、前記リスニングウィンドウの間に、前記移動局は、トラフィック通知を聴取している、ことと、
前記リスニングウィンドウの間に前記プライマリキャリアを介してトラフィック通知を受信することと、
前記トラフィック通知が前記セカンダリキャリアに対応することを決定することと
を含む、方法。
【請求項２】
前記プライマリキャリアに対応するタイミング情報を受信することと、
前記セカンダリキャリアを介してアップリンクデータを伝送することであって、前記アップリンク伝送のタイミングは、前記プライマリキャリアに対応するタイミング情報に基づいている、ことと
をさらに含む、請求項１に記載の方法。
【請求項３】
前記プライマリキャリアは、ネットワークエントリのために用いられる前記キャリアに対応する、請求項１に記載の方法。
【請求項４】
前記プライマリキャリアは、同期チャネルを含む、請求項１に記載の方法。
【請求項５】
前記プライマリキャリアを介して第２の制御シグナリングを受信することをさらに含み、前記第２の制御シグナリングは、前記プライマリキャリアを変更する、請求項１に記載の方法。
【請求項６】
前記プライマリキャリアおよび前記セカンダリキャリアの両方は、同じ基地局に関連付けられている、請求項５に記載の方法。
【請求項７】
前記リスニングウィンドウは、前記プライマリキャリアを介して実現される、請求項１に記載の方法。
【請求項８】
前記マルチキャリア無線通信システムは、直交周波数分割多重化を利用する、請求項１に記載の方法。
【請求項９】
送受信器と、
プロセッサと
を含む装置であって、
前記プロセッサは、
プライマリキャリアを用いてマルチキャリア無線通信システムにおける通信を確立することと、
前記プライマリキャリアを介して第１の制御シグナリングを受信することであって、前記第１の制御シグナリングは、少なくとも１つのセカンダリキャリアを割り当てる、ことと、
スリープモード動作を実行することであって、前記スリープモードは、スリープウィンドウと、リスニングウィンドウとを有し、前記リスニングウィンドウの間に、前記装置は、トラフィック通知を聴取している、ことと、
前記リスニングウィンドウの間に前記プライマリキャリアを介してトラフィック通知を受信することと、
前記トラフィック通知が前記セカンダリキャリアに対応することを決定することと
を行うように構成されている、装置。
【請求項１０】
前記プロセッサは、
前記プライマリキャリアに対応するタイミング情報を受信することと、
前記セカンダリキャリアを介してアップリンクデータを伝送することであって、前記アップリンク伝送のタイミングは、前記プライマリキャリアに対応するタイミング情報に基づいている、ことと
を行うようにさらに構成されている、請求項９に記載の装置。
【請求項１１】
前記プライマリキャリアは、ネットワークエントリのために用いられる前記キャリアに対応する、請求項９に記載の装置。
【請求項１２】
前記プライマリキャリアは、同期チャネルを含む、請求項９に記載の装置。
【請求項１３】
前記プロセッサは、前記プライマリキャリアを介して第２の制御シグナリングを受信するようにさらに構成されており、前記第２の制御シグナリングは、前記プライマリキャリアを変更する、請求項９に記載の装置。
【請求項１４】
前記プライマリキャリアおよび前記セカンダリキャリアの両方は、同じ基地局に関連付けられている、請求項１３に記載の装置。
【請求項１５】
前記リスニングウィンドウは、前記プライマリキャリアを介して実現される、請求項９に記載の装置。
【請求項１６】
前記マルチキャリア無線通信システムは、直交周波数分割多重化を利用する、請求項９に記載の装置。
【手続補正２】
【補正対象書類名】明細書
【補正対象項目名】００１４
【補正方法】変更
【補正の内容】
【００１４】
本出願の態様及び特徴は、添付した図面及び付属と共に開示の特定の実施例の以下の説明を参照することによって、当業者に明らかになるであろう。
本発明は、例えば、以下を提供する。
（項目１）
ＢＳに関連するプライマリキャリアと少なくとも１つのセカンダリキャリアとを有するマルチキャリア無線環境においてＳＳがネットワークエントリを実行するための方法であって、
ａ．上記ＢＳによりサービス提供されるエリアにおいてキャリアを検知するステップと、ｂ．上記キャリアがプライマリキャリア又はセカンダリキャリアであるか判断するステップと、
ｃ．上記判断するステップが上記検知されたキャリアがプライマリキャリアであって、セカンダリキャリアでないと決定した場合、上記ネットワークエントリを実行するステップと、
を有する方法。
（項目２）
上記セカンダリキャリアは、少なくともプリアンブル又は同期チャネルがないことによって、上記プライマリキャリアと区別される、項目１記載の方法。
（項目３）
上記セカンダリキャリアは、少なくともブロードキャストチャネルがないことによって、上記プライマリキャリアと区別される、項目１記載の方法。
（項目４）
上記プライマリキャリアと上記セカンダリキャリアとの少なくとも１つは、上記少なくとも１つのキャリアがプライマリキャリア又はセカンダリキャリアであるか示す制御情報を伝送する、項目１記載の方法。
（項目５）
上記プライマリキャリアと上記セカンダリキャリアとは、各自のプリアンブル又は同期チャネルを有し、
上記プリアンブル又は同期チャネルは、互いに異なるプリアンブルシーケンスにより特徴付けされ、
上記ＳＳは、上記プリアンブルシーケンスの少なくとも１つを処理し、上記処理されたプリアンブルシーケンスに少なくとも部分的に基づき、上記プリアンブルシーケンスに関連するキャリアがプライマリキャリア又はセカンダリキャリアであるか判断する、項目１記載の方法。
（項目６）
上記プライマリキャリアは、音声情報を搬送する、項目１記載の方法。
（項目７）
上記プライマリキャリアは、上記ＳＳのユーザにリアルタイムサービスを搬送する、項目６記載の方法。
（項目８）
上記セカンダリキャリアは、上記ＳＳのユーザにデータサービスを提供する、項目６記載の方法。
（項目９）
上記プライマリキャリアは、コード分割多重化される、項目８記載の方法。
（項目１０）
上記セカンダリキャリアは、時分割多重化される、項目９記載の方法。
（項目１１）
上記無線マルチキャリア環境は、複数のセカンダリキャリアを有し、
上記ＳＳは、上記ＢＳから上記プライマリキャリアを介し制御情報を受信し、
上記制御情報は、上記複数のセカンダリキャリアから選択されたセカンダリキャリアを上記ＳＳに割当て、
上記選択されたセカンダリキャリアは、上記ＳＳがデータサービスを受信することを可能にする、項目１記載の方法。
（項目１２）
上記ＳＳは、上記ＳＳと上記プライマリキャリアとの間の通信について確立されたタイミング、周波数及び電力情報の何れかを利用することによって、上記選択されたセカンダリキャリアとの通信を確立する、項目１１記載の方法。
（項目１３）
上記ＳＳは、上記選択されたセカンダリキャリア上のＵＬレインジングをトリガーするため、上記プライマリキャリアを介し上記ＢＳから送信される制御信号に応答する、項目１１記載の方法。
（項目１４）
ＢＳに関連する複数のプライマリキャリアと少なくとも１つのセカンダリキャリアとを有するマルチキャリア無線環境においてネットワークエントリをＳＳが実行するための方法であって、
ａ．上記プライマリキャリアの１つを介し送信される制御情報を上記ＳＳにおいて受信するステップと、
ｂ．上記ＳＳによって、上記ネットワークエントリが上記プライマリキャリアの１つ又は上記複数のプライマリキャリアの異なるプライマリキャリアを介し実行されるべきか判断するため、上記制御情報を処理するステップと、
ｃ．上記判断に基づき上記ネットワークエントリを実行するステップと、
を有する方法。
（項目１５）
上記制御情報は、上記プライマリキャリアの１つのロード状態を伝送する、項目１４記載の方法。
（項目１６）
上記制御情報は、上記プライマリキャリアの１つにおいて提供されるＱｏＳである、項目１４記載の方法。
（項目１７）
上記複数のプライマリキャリアのそれぞれは、音声情報を搬送する、項目１４記載の方法。
（項目１８）
上記複数のプライマリキャリアのそれぞれは、上記ＳＳのユーザにリアルタイムサービスを搬送する、項目１７記載の方法。
（項目１９）
上記セカンダリキャリアは、上記ＳＳのユーザにデータサービスを提供する、項目１７記載の方法。
（項目２０）
上記プライマリキャリアのそれぞれは、コード分割多重化される、項目１４記載の方法。
（項目２１）
上記セカンダリキャリアは、時分割多重化される、項目２０記載の方法。
（項目２２）
ＢＳに関連するプライマリキャリアと少なくとも１つのセカンダリキャリアとを有するマルチキャリア無線環境において、
ａ．上記ＢＳが、上記プライマリキャリアを介し制御情報をＳＳに送信するステップと、ｂ．上記ＳＳが、上記制御情報に応答して、上記セカンダリキャリアによるＵＬレインジングを開始するステップと、
を有する方法。
（項目２３）
上記プライマリキャリアは、音声情報を上記ＳＳに配信する、項目２２記載の方法。
（項目２４）
上記プライマリキャリアは、上記ＳＳのユーザにリアルタイムサービスを搬送する、項目２３記載の方法。
（項目２５）
上記セカンダリキャリアは、上記ＳＳのユーザにデータサービスを提供する、項目２３記載の方法。
（項目２６）
上記プライマリキャリアは、コード分割多重化される、項目２２記載の方法。
（項目２７）
上記セカンダリキャリアは、時分割多重化される、項目２６記載の方法。
（項目２８）
ＢＳに関連するプライマリキャリアと少なくとも１つのセカンダリキャリアとを有するマルチキャリア無線環境において、上記セカンダリキャリアに関するシステム情報をＳＳに配信する方法であって、
ａ．上記ＢＳが、復号化情報を伝送する制御データを上記プライマリキャリアを介しＳＳに送信するステップと、
ｂ．上記ＳＳが、上記復号化情報に基づき上記セカンダリキャリアのブロードキャストチャネルを復号化するステップと、
を有する方法。
（項目２９）
上記プライマリキャリアは、音声情報を上記ＳＳに配信する、項目２８記載の方法。
（項目３０）
上記プライマリキャリアは、上記ＳＳのユーザにリアルタイムサービスを配信する、項目２９記載の方法。
（項目３１）
上記セカンダリキャリアは、上記ＳＳのユーザにデータサービスを提供する、項目３０記載の方法。
（項目３２）
上記プライマリキャリアは、コード分割多重化される、項目３２記載の方法。
（項目３３）
上記セカンダリキャリアは、時分割多重化される、項目３２記載の方法。
（項目３４）
ＢＳに関連する複数のプライマリキャリアと少なくとも１つのセカンダリキャリアとを有するマルチキャリア無線環境において、ＢＳ内ハンドオーバを実行する方法であって、ａ．上記ＢＳが、上記複数のプライマリキャリアの第１プライマリキャリアを介し制御データを上記ＳＳに送信するステップと、
ｂ．上記ＳＳが、上記制御データに応答して、上記複数のプライマリキャリアの第２プライマリキャリアにスイッチするステップと、
を有する方法。
（項目３５）
上記制御データは、時間情報を伝送し、
上記時間情報は、上記ＳＳが上記複数のプライマリキャリアの第２プライマリキャリアにスイッチする時間を示す、項目３４記載の方法。
（項目３６）
上記複数のプライマリキャリアのそれぞれは、音声情報を搬送する、項目３４記載の方法。
（項目３７）
上記複数のプライマリキャリアのそれぞれは、上記ＳＳのユーザにリアルタイムサービスを搬送する、項目３４記載の方法。
（項目３８）
上記セカンダリキャリアは、上記ＳＳのユーザにデータサービスを提供する、項目３６記載の方法。
（項目３９）
上記プライマリキャリアのそれぞれは、コード分割多重化される、項目３４記載の方法。
（項目４０）
上記セカンダリキャリアは、時間分割多重化される、項目３９記載の方法。
（項目４１）
第１ＢＳから第２ＢＳへのＳＳのハンドオーバを実行する方法であって、
上記第１ＢＳは、少なくとも１つのプライマリキャリアとセカンダリキャリアとを有する第１マルチキャリア無線環境を管理し、上記第２ＢＳは、少なくとも１つのプライマリキャリアとセカンダリキャリアとを有する第２マルチキャリア無線環境を管理し、
ａ．上記第１ＢＳが、上記第１環境において上記プライマリキャリアを介し上記第２無線環境のマルチキャリアコンフィギュレーション情報を伝送する制御データを上記ＳＳに送信するステップと、
ｂ．上記ＳＳが、上記制御データに基づきサービスのため上記第２ＢＳにスイッチするステップと、
を有する方法。
（項目４２）
上記第１環境のプライマリキャリアと上記第２環境のプライマリキャリアとは、音声情報を上記ＳＳに配信する、項目４１記載の方法。
（項目４３）
上記第１環境のプライマリキャリアと上記第２環境のプライマリキャリアとは、上記ＳＳのユーザにリアルタイムサービスを配信する、項目４１記載の方法。
（項目４４）
上記第１環境のセカンダリキャリアと上記第２環境のセカンダリキャリアとは、上記ＳＳのユーザにデータサービスを提供する、項目４２記載の方法。
（項目４５）
上記第１環境のプライマリキャリアと上記第２環境のプライマリキャリアとは、コード分割多重化される、項目４１記載の方法。
（項目４６）
上記第１環境のセカンダリキャリアと上記第２環境のセカンダリキャリアとは、時分割多重化される、項目４５記載の方法。
（項目４７）
ＢＳによりサービス提供され、プライマリキャリアとセカンダリキャリアとを有するマルチキャリア無線環境においてＳＳのスリープモードを管理する方法であって、
ａ．上記ＳＳが、データトラフィック通知について上記プライマリキャリア上の連続するリスニングウィンドウをモニタするステップであって、上記リスニングウィンドウの何れかの１つにおけるデータトラフィック通知は、ｉ．上記ＳＳのデータトラフィックと、ｉｉ．上記データトラフィックが上記プライマリキャリア又は上記セカンダリキャリアを介し配信されるかとを示す、上記モニタするステップと、
ｂ．上記データトラフィックのついて上記データトラフィック通知により通知されるキャリアをモニタするステップと、
を有する方法。
（項目４８）
上記ＳＳは、上記リスニングウィンドウの外部のデータトラフィック通知について上記プライマリキャリアをモニタしない、項目４７記載の方法。
（項目４９）
上記プライマリキャリアは、上記ＳＳに音声情報を配信する、項目４７記載の方法。
（項目５０）
上記プライマリキャリアは、上記ＳＳのユーザにリアルタイムサービスを配信する、項目４９記載の方法。
（項目５１）
上記セカンダリキャリアは、上記ＳＳのユーザにデータサービスを配信する、項目４９記載の方法。
（項目５２）
上記プライマリキャリアは、コード分割多重化される、項目４７記載の方法。
（項目５３）
上記セカンダリキャリアは、時分割多重化される、項目５２記載の方法。
（項目５４）
ＢＳによってサービス提供され、プライマリキャリアとセカンダリキャリアとを有する無線マルチキャリア環境において上記ＢＳにＣＱＩをフィードバックする方法であって、ａ．上記プライマリキャリアと上記セカンダリキャリアとを介しＳＳと上記ＢＳとの間で通信を確立するステップであって、上記プライマリキャリアはＵＬフィードバック制御チャネルを確立する、上記確立するステップと、
ｂ．上記ＳＳにおいて、上記セカンダリキャリアに関してＣＱＩを生成するステップと、
ｃ．上記ＵＬフィードバック制御チャネルを介し上記ＣＱＩを上記ＢＳに送信するステップと、
を有する方法。
（項目５５）
上記プライマリキャリアは、上記ＳＳに音声情報を配信する、項目５４記載の方法。
（項目５６）
上記プライマリキャリアは、上記ＳＳのユーザにリアルタイムサービスを配信する、項目５４記載の方法。
（項目５７）
上記セカンダリキャリアは、上記ＳＳのユーザにデータサービスを提供する、項目５５記載の方法。
（項目５８）
上記プライマリキャリアは、コード分割多重化される、項目５４記載の方法。
（項目５９）
上記セカンダリキャリアは、時分割多重化される、項目５８記載の方法。
（項目６０）
ＢＳによってサービス提供され、プライマリキャリアとセカンダリキャリアとを有する無線マルチキャリア環境において上記ＢＳにＣＱＩをフィードバックする方法であって、ａ．上記プライマリキャリアと上記セカンダリキャリアとを介しＳＳと上記ＢＳとの間で通信を確立するステップであって、上記セカンダリキャリアはＵＬフィードバック制御チャネルを確立する、上記確立するステップと、
ｂ．上記ＳＳにおいて、上記セカンダリキャリアに関してＣＱＩを生成するステップと、
ｃ．上記ＵＬフィードバック制御チャネルを介し上記ＣＱＩを上記ＢＳに送信するステップと、
を有する方法。
（項目６１）
上記プライマリキャリアは、上記ＳＳに音声情報を配信する、項目６０記載の方法。
（項目６２）
上記プライマリキャリアは、上記ＳＳのユーザにリアルタイムサービスを配信する、項目６１記載の方法。
（項目６３）
上記セカンダリキャリアは、上記ＳＳのユーザにデータサービスを提供する、項目６１記載の方法。
（項目６４）
上記プライマリキャリアは、コード分割多重化される、項目６１記載の方法。
（項目６５）
上記セカンダリキャリアは、時分割多重化される、項目６４記載の方法。